(57)【特許請求の範囲】
【請求項１】
縦方向と、前記縦方向と交差する横方向とを有し、
排泄物を吸収する吸収性コアを備えた吸収性本体と、
前記吸収性本体の一端側に位置する背側胴回り部と、
前記吸収性本体の他端側に位置する腹側胴回り部と、を備える使い捨ておむつであって、
前記横方向における前記腹側胴回り部の中央部であって、前記縦方向における前記腹側胴回り部の上端に、カット部が設けられ、
前記腹側胴回り部に、前記横方向に沿った複数の弾性部材が配置され、
前記縦方向における前記カット部の下端と前記吸収性コアの上端との間に、前記横方向に沿った第１領域と、前記第１領域よりも前記縦方向の下側に位置し、且つ、前記横方向に沿った第２領域とを備え、
前記弾性部材の収縮によって前記第１領域及び前記第２領域に皺が生じており、
前記横方向において前記カット部が設けられた位置を少なくとも含む範囲において、前記第１領域に生じている皺の数の方が、前記第２領域に生じている皺の数に比べて少ないことを特徴とする使い捨ておむつ。
【請求項２】
請求項１に記載の使い捨ておむつであって、
前記横方向において前記カット部が設けられた位置を少なくとも含む範囲において、前記腹側胴回り部の厚さ方向における前記第１領域の皺の凹凸の高さの方が、前記厚さ方向における前記第２領域の皺の凹凸の高さに比べて大きいことを特徴とする使い捨ておむつ。
【請求項３】
請求項１又は請求項２に記載の使い捨ておむつであって、
少なくとも前記第２領域には前記弾性部材が配置され、
着用時の伸縮力であって前記縦方向における単位幅当たりの伸縮力が、前記第２領域に比べて前記第１領域の方が小さいことを特徴とする使い捨ておむつ。
【請求項４】
請求項３に記載の使い捨ておむつであって、
前記第１領域と前記第２領域とで、前記弾性部材の配置数、配置された前記弾性部材の伸縮力、及び前記弾性部材の伸長倍率のうちの少なくとも一つが異なることを特徴とする使い捨ておむつ。
【請求項５】
請求項４に記載の使い捨ておむつであって、
前記第１領域に前記弾性部材が配置されていないことを特徴とする使い捨ておむつ。
【請求項６】
請求項１から請求項５の何れか１項に記載の使い捨ておむつであって、
前記吸収性本体は、液透過性シートと液不透過性シートとを少なくとも備え、
前記腹側胴回り部は、前記弾性部材が固定されたシートを少なくとも備え、
前記第１領域で積層されるシート数の方が、前記第２領域で積層されるシート数に比べて少ないことを特徴とする使い捨ておむつ。
【請求項７】
請求項６に記載の使い捨ておむつであって、
前記縦方向における前記吸収性本体の上端が、前記第１領域と前記第２領域の境界であることを特徴とする使い捨ておむつ。
【請求項８】
請求項１から請求項７の何れか１項に記載の使い捨ておむつであって、
前記腹側胴回り部のうち前記横方向における前記カット部の両外側の部位の方が、前記第２領域に比べて、着用時の伸縮力であって前記縦方向における単位幅当たりの伸縮力が小さいことを特徴とする使い捨ておむつ。
【請求項９】
請求項１から請求項８の何れか１項に記載の使い捨ておむつであって、
前記腹側胴回り部では、一対のシート間に前記弾性部材が配置されるとともに、前記一対のシートと前記弾性部材とが接着剤で接合されており、
前記腹側胴回り部において、前記カット部の外縁に沿った縁部のうちの少なくとも一部の領域には、前記一対のシート同士を接合する接着剤、及び、前記一対のシートと前記弾性部材とを接合する接着剤のうちの少なくとも一方の接着剤が設けられていないことを特徴とする使い捨ておむつ。
【請求項１０】
請求項１から請求項９の何れか１項に記載の使い捨ておむつであって、
前記第２領域よりも前記縦方向の下側の領域に配置された弾性部材は、前記横方向における前記腹側胴回り部の両端部の一方から他方まで位置する一方で、前記吸収性コア上において不連続部分を備えることを特徴とする使い捨ておむつ。
【請求項１１】
請求項１から請求項１０の何れか１項に記載の使い捨ておむつであって、
前記横方向における前記カット部の両側部に前記弾性部材が配置され、
前記横方向における前記カット部の幅が、前記吸収性コアの最大幅よりも小さいことを特徴とする使い捨ておむつ。
【発明の詳細な説明】
【技術分野】
【０００１】
本発明は、使い捨ておむつに関する。
【背景技術】
【０００２】
使い捨ておむつとして、前身頃、股下部及び後身頃の各部からなり、一つのウェスト周り開口部及び一対の脚周り開口部が形成され、吸収体を備えるものが広く用いられている。使い捨ておむつの中には、前身頃の上端縁が下に凸の形態をとるものが提案されている（例えば特許文献１）。このような使い捨ておむつによれば、例えば前屈みの姿勢をとってしまう高齢者が着用する場合に、腹側が背側に比べて股上に余裕がでても、腹側部分で丈が余ることを抑制できる。
【先行技術文献】
【特許文献】
【０００３】
【特許文献１】特開２０１２−１９２１１５号
【発明の概要】
【発明が解決しようとする課題】
【０００４】
上記特許文献１に記載の使い捨ておむつでは、前身頃の上端縁に設けられた下方に向く凸部の周囲に、ウェスト周り伸縮材が配置されている。そのため、下方に向く凸部が収縮して硬くなり易く、着け心地が低下してしまう。その一方で、吸収体を備える吸収性本体の上端縁の近傍には、伸縮材が配置されていない。そのため、吸収体が着用者に密着し難く、排泄物が漏れてしまう虞がある。
【０００５】
本発明は、上記のような問題に鑑みてなされたものであって、着け心地が良く、排泄物の漏れを抑える使い捨ておむつを実現することを目的とする。
【課題を解決するための手段】
【０００６】
上記目的を達成するための主たる発明は、縦方向と、前記縦方向と交差する横方向とを有し、排泄物を吸収する吸収性コアを備えた吸収性本体と、前記吸収性本体の一端側に位置する背側胴回り部と、前記吸収性本体の他端側に位置する腹側胴回り部と、を備える使い捨ておむつであって、前記横方向における前記腹側胴回り部の中央部であって、前記縦方向における前記腹側胴回り部の上端に、カット部が設けられ、前記腹側胴回り部に、前記横方向に沿った複数の弾性部材が配置され、前記縦方向における前記カット部の下端と前記吸収性コアの上端との間に、前記横方向に沿った第１領域と、前記第１領域よりも前記縦方向の下側に位置し、且つ、前記横方向に沿った第２領域とを備え、前記弾性部材の収縮によって前記第１領域及び前記第２領域に皺が生じており、前記横方向において前記カット部が設けられた位置を少なくとも含む範囲において、前記第１領域に生じている皺の数の方が、前記第２領域に生じている皺の数に比べて少ないことを特徴とする使い捨ておむつである。
【０００７】
本発明の他の特徴については、本明細書及び添付図面の記載により明らかにする。
【発明の効果】
【０００８】
本発明によれば、着け心地が良く、排泄物の漏れを抑える使い捨ておむつを提供することができる。
【図面の簡単な説明】
【０００９】
【図１】使い捨ておむつの斜視図である。
【図２】展開状態のおむつの平面図である。
【図３】展開状態のおむつの横方向における中央部での断面図である。
【図４】腹側糸ゴムの径と伸張倍率を示した図である。
【図５】図５Ａは腹側胴回り部に生じている皺の説明図であり、図５Ｂは第１領域に生じている皺及び第２領域に生じている皺の厚さ方向の断面を説明する図である。
【図６】カット部周辺の接着剤の塗布領域の説明図である。
【図７】第２実施形態のおむつの展開状態の平面図である。
【図８】伸縮力を測定したサンプルの条件を説明する図である。
【図９】伸縮力の測定結果を説明する図である。
【発明を実施するための形態】
【００１０】
本明細書及び添付図面の記載により、少なくとも以下の事項が明らかとなる。
【００１１】
縦方向と、前記縦方向と交差する横方向とを有し、排泄物を吸収する吸収性コアを備えた吸収性本体と、前記吸収性本体の一端側に位置する背側胴回り部と、前記吸収性本体の他端側に位置する腹側胴回り部と、を備える使い捨ておむつであって、前記横方向における前記腹側胴回り部の中央部であって、前記縦方向における前記腹側胴回り部の上端に、カット部が設けられ、前記腹側胴回り部に、前記横方向に沿った複数の弾性部材が配置され、前記縦方向における前記カット部の下端と前記吸収性コアの上端との間に、前記横方向に沿った第１領域と、前記第１領域よりも前記縦方向の下側に位置し、且つ、前記横方向に沿った第２領域とを備え、前記弾性部材の収縮によって前記第１領域及び前記第２領域に皺が生じており、前記横方向において前記カット部が設けられた位置を少なくとも含む範囲において、前記第１領域に生じている皺の数の方が、前記第２領域に生じている皺の数に比べて少ないことを特徴とする使い捨ておむつ。
このような使い捨ておむつによれば、カット部近傍の第１領域では腹側胴回り部（例えばシート）が密集しないので、第１領域が着用者の肌に柔らかく当たり、着け心地が良い。一方、吸収性コア近傍の第２領域では腹側胴回り部が密集して隙間が空き難いため、排泄物の漏れを抑えられる。
【００１２】
かかる使い捨ておむつであって、前記横方向において前記カット部が設けられた位置を少なくとも含む範囲において、前記腹側胴回り部の厚さ方向における前記第１領域の皺の凹凸の高さの方が、前記厚さ方向における前記第２領域の皺の凹凸の高さに比べて大きいことを特徴とする使い捨ておむつ。
このような使い捨ておむつによれば、第１領域の皺の数を第２領域の皺の数に比べて少なくすることができる。また、第１領域の隙間が大きくなり、着け心地が向上する。一方、第２領域の隙間が小さくなり、排泄物の漏れを抑えられる。
【００１３】
かかる使い捨ておむつであって、少なくとも前記第２領域には前記弾性部材が配置され、着用時の伸縮力であって前記縦方向における単位幅当たりの伸縮力が、前記第２領域に比べて前記第１領域の方が小さいことを特徴とする使い捨ておむつ。
このような使い捨ておむつによれば、第１領域の皺の数を第２領域の皺の数に比べて少なくすることができる。
【００１４】
かかる使い捨ておむつであって、前記第１領域と前記第２領域とで、前記弾性部材の配置数、配置された前記弾性部材の伸縮力、及び前記弾性部材の伸長倍率のうちの少なくとも一つが異なることを特徴とする使い捨ておむつ。
このような使い捨ておむつによれば、第２領域の伸縮力に比べて第１領域の伸縮力を小さくすることができる。
【００１５】
かかる使い捨ておむつであって、前記第１領域に前記弾性部材が配置されていないことを特徴とする使い捨ておむつ。
このような使い捨ておむつによれば、より一層第１領域が密集しないので、着用者の肌に柔らかく当たり、着け心地が向上する。
【００１６】
かかる使い捨ておむつであって、前記吸収性本体は、液透過性シートと液不透過性シートとを少なくとも備え、前記腹側胴回り部は、前記弾性部材が固定されたシートを少なくとも備え、前記第１領域で積層されるシート数の方が、前記第２領域で積層されるシート数に比べて少ないことを特徴とする使い捨ておむつ。
このような使い捨ておむつによれば、第１領域の剛性が低くなるため、第１領域が着用者の肌に柔らかく当たり、着け心地が良い。一方、第２領域には多くのシートが存在し、液不透過性シートも存在するため、排泄物の漏れを抑えられる。
【００１７】
かかる使い捨ておむつであって、前記縦方向における前記吸収性本体の上端が、前記第１領域と前記第２領域の境界であることを特徴とする使い捨ておむつ。
このような使い捨ておむつによれば、第１領域で積層されるシート数を、第２領域で積層されるシート数に比べて少なくすることができる。
【００１８】
かかる使い捨ておむつであって、前記腹側胴回り部のうち前記横方向における前記カット部の両外側の部位の方が、前記第２領域に比べて、着用時の伸縮力であって前記縦方向における単位幅当たりの伸縮力が小さいことを特徴とする使い捨ておむつ。
このような使い捨ておむつによれば、腹側胴回り部の上端部が密集せず、着用者の肌に柔らかく当たり、着け心地が良い。
【００１９】
かかる使い捨ておむつであって、前記腹側胴回り部では、一対のシート間に前記弾性部材が配置されるとともに、前記一対のシートと前記弾性部材とが接着剤で接合されており、前記腹側胴回り部において、前記カット部の外縁に沿った縁部のうちの少なくとも一部の領域には、前記一対のシート同士を接合する接着剤、及び、前記前記一対のシートと前記弾性部材とを接合する接着剤のうちの少なくとも一方の接着剤が設けられていないことを特徴とする使い捨ておむつ。
このような使い捨ておむつによれば、カット部の外縁に沿った縁部が接着剤で硬くなってしまうことを抑えられる。よって、カット部の縁部が着用者の肌に柔らかく当たり、着け心地が良い。また、弾性部材のカット部側の端部が収縮するため、カット部において弾性部材が露出してしまうことを防止できる。
【００２０】
かかる使い捨ておむつであって、前記第２領域よりも前記縦方向の下側の領域に配置された弾性部材は、前記横方向における前記腹側胴回り部の両端部の一方から他方まで位置する一方で、前記吸収性コア上において不連続部分を備えることを特徴とする使い捨ておむつ。
このような使い捨ておむつによれば、吸収性コアが収縮してしまうことを防ぎ、吸収性コアを着用者の体に密着させることができ、排泄物の漏れを抑えられる。
【００２１】
かかる使い捨ておむつであって、前記横方向における前記カット部の両側部に前記弾性部材が配置され、前記横方向における前記カット部の幅が、前記吸収性コアの最大幅よりも小さいことを特徴とする使い捨ておむつ。
このような使い捨ておむつによれば、新生児の湿潤している臍（へそ）等に使い捨ておむつが当たることを防ぐことができる。また、カット部の横幅を必要以上に広げないことで、カット部の両側部に配置された弾性部材の長さを確保でき、腹側胴回り部を着用者の胴回り部にフィットさせることができる。
【００２２】
以下、本発明に係る使い捨ておむつとして、主に新生児を着用対象としたパンツ型の使い捨ておむつを例に挙げて実施形態を説明する。
【００２３】
＝＝＝第１実施形態＝＝＝
＜おむつ１の基本構成＞
図１は使い捨ておむつ１（以下、おむつ）の斜視図である。図２は展開状態のおむつ１の平面図である。図３は展開状態のおむつ１の横方向における中央部での断面図である。なお、図２は、おむつ１に生じていた皺が視認できなくなる程度まで、おむつ１が有する弾性部材を伸長した状態での展開図である。おむつ１は、互いに交差する縦方向と、横方向と、厚さ方向とを有する。また、おむつ１は、所謂３ピースタイプであり、着用者の股間部にあてがわれ尿等の排泄物を吸収する吸収性本体１０と、着用者の背側部を覆う背側胴回り部２０と、着用者の腹側部を覆う腹側胴回り部３０とを有する。
【００２４】
図２の展開状態では、背側胴回り部２０と腹側胴回り部３０の各長手方向がおむつ１の横方向に沿い、且つ、背側胴回り部２０と腹側胴回り部３０とがおむつ１の縦方向に間隔空けて配置された状態で、両部２０，３０の間に吸収性本体１０が掛け渡されている。そして、横方向における背側胴回り部２０の中央部に、吸収性本体１０の長手方向における一端部が位置し、横方向における腹側胴回り部３０の中央部に、吸収性本体１０の長手方向における他端部が位置している。また、厚さ方向における吸収性本体１０の非肌側面に、背側胴回り部２０及び腹側胴回り部３０が接合されている。その状態から、縦方向における背側胴回り部２０の上端２０ａと腹側胴回り部３０の上端３０ａとが揃うように、吸収性本体１０がその長手方向の中央部で二つ折りされ、背側胴回り部２０と腹側胴回り部３０とが接合されることにより、おむつ１はパンツ型となる。詳しくは、横方向における背側胴回り部２０の両端部２０ｂと腹側胴回り部３０の両端部３０ｂとが接合される。そうして、おむつ１には、胴周り開口１ａ及び一対の脚周り開口１ｂが形成される。
【００２５】
吸収性本体１０は、液透過性のトップシート１１（例えば不織布）と、吸収体１２と、液不透過性のバックシート１３（例えばポリエチレンやポリプロピレン製のシート）と、外装シート１４（例えば不織布）と、一対のサイドシート１５（例えば液不透過性の不織布）とを有する。
【００２６】
吸収体１２は、液体吸収性素材（例えばパルプ繊維や高吸収性ポリマー）を積層してなる吸収性コア１２１と、吸収性コア１２１を被覆する液透過性のコアラップ（不図示、例えば不織布やティッシュ）とを有する。なお、吸収性コア１２１がコアラップに被覆されていなくてもよい。また、本実施形態の吸収性コア１２１は、平面視略砂時計形状であり、縦方向における吸収性コア１２１の端部１２１ａにおいて横幅Ｗ１が最大となっている。
【００２７】
一対のサイドシート１５は、横方向における吸収性本体１０の両側部に設けられている。横方向におけるサイドシート１５の外側端部には、縦方向に伸縮する弾性部材１５１（例えば糸ゴムや伸縮性シート）が設けられている。よって、横方向における吸収性本体１０の両側部は、所謂レッグギャザーＬＧを構成し、着用者の脚周りにフィットする。一方、横方向におけるサイドシート１５の内側端部は、横方向の外側に折り返され、その折り返された部位に、縦方向に伸縮する不図示の弾性部材が設けられている。よって、横方向におけるサイドシート１５の内側端部は、厚さ方向における着用者の肌側に起立可能な所謂立体ギャザーＬＳＧを構成する。立体ギャザーＬＳＧにより排泄物が堰き止められる。
【００２８】
背側胴回り部２０は、平面視長方形状であり、厚さ方向における肌側に位置する内層シート２１（例えば不織布）と、非肌側に位置する外層シート２２（例えば不織布）と、横方向に沿って配置されて横方向に伸縮する複数の弾性部材２３とを有する。複数の弾性部材２３は、内層シート２１と外層シート２２の間において、縦方向に間隔を空けて配置されるとともに、内層シート２１及び外層シート２２に伸長状態で固定されている。本実施形態では弾性部材２３として糸ゴムを例示し、以下、弾性部材２３を背側糸ゴム２３とも呼ぶ。
【００２９】
腹側胴回り部３０は、平面視長方形状であり、厚さ方向における肌側に位置する内層シート３１（例えば不織布）と、非肌側に位置する外層シート３２（例えば不織布）と、横方向に沿って配置されて横方向に伸縮する複数の弾性部材３３とを有する。複数の弾性部材３３は、内層シート３１と外層シート３２の間において、縦方向に間隔を空けて配置されるとともに、内層シート３１及び外層シート３２に伸長状態で固定されている。本実施形態では弾性部材３３として糸ゴムを例示し、以下、弾性部材３３を腹側糸ゴム３３とも呼ぶ。
【００３０】
背側糸ゴム２３及び腹側糸ゴム３３により、おむつ１は着用者の胴回りにフィットする。なお、背側胴回り部２０及び腹側胴回り部３０に配置される弾性部材２３，３３は、糸ゴムに限らず、例えば糸状のポリウレタン伸縮性繊維等でもよく、また、シート状の弾性部材でもよい。
【００３１】
＜カット部４０＞
新生児の臍（へそ）は湿潤している。また、新生児の臍には、出血防止等のためにクリップが取り付けられる場合がある。そこで、おむつ１では、横方向における腹側胴回り部３０の中央部であって、縦方向における腹側胴回り部３０の上端３０ａに、カット部４０（切り欠き）が設けられている。本実施形態のカット部４０の形状は下方に凸となる円弧形状である。カット部４０によって、着用者の臍や臍に取り付けられたクリップがおむつ１に当たることを防止できる。また、おむつ１の装着者（母親等）が臍等へのおむつ１の接触を気にしておむつ１を十分上まで引き上げないという事態の発生を回避でき、排泄物の漏れを防止できる。
【００３２】
横方向におけるカット部４０の幅Ｗ２（例えば８５ｍｍ）は、吸収性コア１２１の最大幅Ｗ１（例えば１２０ｍｍ）よりも小さくなっている。また、横方向におけるカット部４０の両側部に腹側糸ゴム３３（以下、カット部周り糸ゴム３３ａとも呼ぶ）が配置されている。そのため、カット部４０の横幅が不必要に広くなく、カット部周り糸ゴム３３ａの長さを確保できる。よって、おむつ１（腹側胴回り部３０）が着用者の胴回りにフィットする。なお、横方向におけるカット部４０の幅、及び、吸収性コア１２１の最大幅は、腹側胴回り部３０が伸長した状態、即ち、腹側胴回り部３０に生じていた皺が視認できなくなる程度まで腹側胴回り部３０が伸長した状態において測定するとよい。
【００３３】
また、カット部４０の深さ（縦方向の長さ）を１５ｍｍ程度とし、必要以上に深くしないことで、おむつ１が着用者の胴回りによりフィットする。また、カット部４０を円弧形状とするに限らず、例えば矩形状としてもよく、このように直線で形成されるカット部４０の場合、設計が容易となる。また、縦方向に所定の長さを有する直線状のスリットをカット部４０としてもよく、この場合、製造が容易となり、また、製造時には切り捨て部分が生じない。着用時にはスリットが横方向に拡がるため、着用者の臍やクリップがおむつ１に当たることを防止できる。また、背側胴回り部２０にはカット部が設けられていない。
【００３４】
腹側胴回り部３０は第１領域３４及び第２領域３５を備える。第１領域３４は、縦方向におけるカット部４０の下端４０ｂの位置から吸収性本体１０の上端１０ａの位置までの領域である。第２領域３５は、縦方向における吸収性本体１０の上端１０ａの位置から吸収性コア１２１の上端１２１ａの位置までの領域である。また、第１領域３４及び第２領域３５は共に、横方向における腹側胴回り部３０の両端部３０ｂ間を横方向に沿って延びる領域とする。
【００３５】
＜腹側糸ゴム３３＞
図４は腹側糸ゴム３３の径と伸張倍率を示した図である。腹側胴回り部３０は１２本の腹側糸ゴム３３を有する。１２本の腹側糸ゴム３３のうち、横方向におけるカット部４０の両側部に配置された２本をカット部周り糸ゴム３３ａと呼び、第１領域３４に配置された１本を第１領域糸ゴム３３ｂと呼び、第２領域３５に配置された３本を第２領域糸ゴム３３ｃと呼び、第２領域糸ゴム３３ｃよりも下方に配置された２本を上方吸収体周り糸ゴム３３ｄと呼び、上方吸収体周り糸ゴム３３ｄよりも下方に配置された４本を下方吸収体周り糸ゴム３３ｅと呼ぶ。
【００３６】
カット部周り糸ゴム３３ａは、腹側胴回り部３０の横方向一方側の端部３０ｂからカット部４０の横方向他方側の端部までの部位と、カット部４０の横方向一方側の端部から腹側胴回り部３０の横方向他方側の端部３０ｂまでの部位とを有する。カット部周り糸ゴム３３ａの径は４７０ｄｔｅｘであり、伸張倍率は２．６である。なお、糸ゴム（弾性部材）の伸長倍率（ｎ倍）とは、伸長状態でシートに固定された糸ゴムの長さＡを、非伸長状態（自然状態）での糸ゴムの長さＢで除した値である（ｎ＝Ａ／Ｂ）。
【００３７】
第１領域糸ゴム３３ｂ、及び、第２領域糸ゴム３３ｃは、横方向における腹側胴周り部３０の両端部３０ｂ間を延び、不連続部分を備えない。第１領域糸ゴム３３ｂの径は４７０ｄｔｅｘ、伸張倍率は３．２である。第２領域糸ゴム３３ｃの径は９４０ｄｔｅｘ、伸張倍率は３．２である。
【００３８】
上方吸収体周り糸ゴム３３ｄの径は９４０ｄｔｅｘ、伸張倍率は３．６である。下方吸収体周り糸ゴム３３ｅの径は４７０ｄｔｅｘ、伸張倍率は３．４である。そして、上方吸収体周り糸ゴム３３ｄ、及び、下方吸収体周り糸ゴム３３ｅは、腹側胴周り部３０の横方向一方側の端部３０ｂから吸収性コア１２１の横方向他方側の端部までの部位と、吸収性コア１２１の横方向一方側の端部から腹側胴周り部３０の横方向他方側の端部３０ｂまでの部位とを有する。つまり、第２領域３５よりも縦方向の下側の領域に配置された上方吸収体周り糸ゴム３３ｄ、及び、下方吸収体周り糸ゴム３３ｅは、横方向における腹側胴周り部３０の両端部３０ｂの一方から他方まで位置する一方で、吸収性コア１２１上において不連続部分を備える。このように、吸収性コア１２１上において糸ゴム３３を不連続にすることで、吸収性コア１２１が収縮してしまうことを防止でき、吸収性コア１２１を隙間なく着用者の体に密着させることができる。よって、排泄物の漏れを抑えられる。
【００３９】
以上のように、カット部周り糸ゴム３３ａ、上方吸収体周り糸ゴム３３ｄ、及び下方吸収体周り糸ゴム３３ｅは不連続部分を備える。そのため、第１領域糸ゴム３３ｂ及び第２領域糸ゴム３３ｃは、横方向における腹側胴回り部３０の両端部３０ｂ間を連続して延び不連続部分を備えないようにするとよい。そうすることで、横方向における腹側胴回り部３０の中央部を着用者の体に密着させることができ、排泄物の漏れを抑えられる。
【００４０】
＜おむつ１に生じている皺＞
図５Ａは腹側胴回り部３０に生じている皺の説明図であり、図５Ｂは第１領域３４に生じている皺３４１及び第２領域３５に生じている皺３５１の厚さ方向の断面を説明する図である。前述のように、腹側胴回り部３０は、縦方向におけるカット部４０の下端４０ｂと吸収性コア１２１の上端１２１ａとの間に、横方向に沿った第１領域３４と、第１領域３４よりも縦方向の下側に位置し、且つ、横方向に沿った第２領域３５とを備える。そして、腹側胴周り部３０に配置された腹側糸ゴム３３の収縮によって、第１領域３４及び第２領域３５に皺が生じており、横方向においてカット部４０が設けられた位置を少なくとも含む範囲において、第１領域３４に生じている皺３４１の数の方が、第２領域３５に生じている皺３５１の数に比べて少なくなっている。
【００４１】
そのため、カット部４０近傍の第１領域３４では、腹側胴回り部３０を構成する内層シート３１及び外層シート３２が密集せず、第１領域３４が着用者の肌に柔らかく当たるので、おむつ１の着け心地が向上する。一方、吸収性コア１２１近傍の第２領域３５では、内層シート３１及び外層シート３２が密集して隙間が空き難いので、排泄物の漏れを抑えられる。第２領域３５で排泄物が堰き止められるため、第２領域３５に比べて第１領域３４に隙間が生じていても排泄物の漏れの心配がない。また、単にカット部が設けられたおむつでは、排泄物の漏れを抑えるための領域、すなわち皺の数が多く着用者の体に密着する領域が、カット部４０の外縁４０ａ（切れ端）に位置することになる。そうすると、シートが密集した硬い領域が、臍周りのデリケートな肌に当たり、肌を傷付けてしまう。そのため、本実施形態のおむつ１のように、カット部４０の下端４０ｂと第２領域３５との間に、皺の数が少ない第１領域３４を設けるとよい。そうすることで、シートが密集していない軟らかい第１領域３４がカット部４０の外縁４０ａに位置するため、着用者の肌を傷付けてしまうことを防止できる。
【００４２】
なお、横方向においてカット部４０が設けられた位置を少なくとも含む範囲としては、横方向におけるカット部４０の最も一方側の端４０ｃの位置から最も他方側の端４０ｄの位置までの、幅がＷ２である範囲を例示できる。但しこれに限らず、カット部４０よりも横方向外側の位置を含む範囲でもよいし、カット部４０が設けられた位置の一部だけを含む範囲でもよい。また、第１領域３４及び第２領域３５に生じている皺３４１，３５１の数は、例えば、おむつ１を平置きや、皺が無くならない程度におむつ１を横方向に伸長した状態で、皺の凸部や凹部の数をカウントすることで測定できる。例えばおむつ１を肌側から見た場合、肌側に突出する部位が凸部となり、非肌側に突出する部位が凹部となる。
【００４３】
また、おむつ１では、横方向における第１領域３４及び第２領域３５の各長さが等しい。そのため、図５Ｂに示すように、横方向においてカット部４０が設けられた位置を少なくとも含む範囲において、腹側胴回り部３０の厚さ方向における第１領域３４の皺３４１の凹凸の高さの方が、第２領域３５の皺３５１の凹凸の高さに比べて大きくなっている。よって、第１領域３４の隙間がより大きくなり、第１領域３４が着用者の肌に柔らかく当たるため、おむつ１の着け心地が向上する。一方、第２領域３５の隙間はより小さくなり、排泄物の漏れを抑えられる。逆に言えば、第１領域３４の皺３４１の凹凸の高さを、第２領域３５の皺３５１の凹凸の高さに比べて大きくすることで、第１領域３４の皺３４１の数を第２領域３５の皺３５１の数よりも少なくすることができる。
【００４４】
なお、皺の凹凸の高さは、例えば、おむつ１を平置きや、皺が無くならない程度におむつ１を横方向に伸長した状態で、ある凸部の頂点から該凸部に隣接する凹部の頂点までの厚さ方向の長さを測定することで得られる。また、横方向においてカット部４０が設けられた位置を少なくとも含む範囲のうち、第１領域３４の全ての皺３４１と第２領域３５の全ての皺３５１とを比較してもよいし、一部の皺を比較するだけでもよい。また、複数の皺の凹凸の高さを、平均値で比較してもよいし、個別に比較してもよい。
【００４５】
また皺の凹凸の高さと共に、横方向における第１領域３４の皺３４１の幅（凸部や凹部の幅）が第２領域３５の皺３５１の幅よりも大きくなっていることが好ましい。そうすることで、第１領域３４の皺３４１の凸部が着用者の体に面で接触し、皺３４１の凸部が局所的に着用者の体に接触する防止できる。よって、おむつ１の着け心地が向上する。
【００４６】
また、図４に示すように、第１領域糸ゴム３３ｂの伸長倍率と第２領域糸ゴム３３ｃの伸長倍率は等しいが、第１領域糸ゴム３３ｂの数が第２領域糸ゴム３３ｃの数に比べて少なく、且つ、第１領域糸ゴム３３ｂの径（伸縮力）が第２領域糸ゴム３３ｃの径（伸縮力）よりも小さい。そのため、おむつ１の横方向における着用時の伸縮力であって、縦方向における単位幅当たりの伸縮力は、第２領域３５に比べて第１領域３４の方が小さくなり、第１領域３４の皺３４１の数を第２領域３５の皺３５１の数に比べて少なくすることができる。
【００４７】
但し上記に限らず、縦方向における単位幅当たりの伸縮力が、第２領域３５に比べて第１領域３４の方が小さくなるように、第１領域３４と第２領域３５とで、腹側糸ゴム３３の配置数、配置された腹側糸ゴム３３の径（伸縮力）、及び腹側糸ゴム３３の伸長倍率のうちの少なくとも一つを異ならせればよい。具体的には、第１領域腹側糸ゴム３３ｂの配置数を第２領域腹側糸ゴム３３ｂの配置数よりも少なくしたり、第１領域腹側糸ゴム３３ｂの径（伸縮力）を第２領域腹側糸ゴム３３ｃの径（伸縮力）よりも小さくしたり、第１領域腹側糸ゴム３３ｂの伸長倍率を第２領域腹側糸ゴム３３ｃの伸長倍率よりも低くしたりするとよい。
【００４８】
なお、着用時の伸縮力としては、おむつ１の着用対象である新生児の平均の胴回り（想定する胴回りの平均値）までおむつ１の胴回り開口１ａを伸長させた時の伸縮力を例示できる。つまり、自然状態（非伸長状態）であるおむつ１の胴回り開口１ａの周長に対して３０％程度伸長させた時の、第１領域３４の伸縮力と第２領域３５の伸縮力とを比較するとよい。
【００４９】
また、図４に示すように、カット部周り糸ゴム３３ａの方が第２領域糸ゴム３３ｃに比べて、本数が少なく、径（伸縮力）が小さく、伸長倍率が低い。よって、腹側胴回り部３０のうち横方向におけるカット部４０の両外側の部位３６（以下、カット部の両側部）の方が、第２領域３５に比べて、おむつ１の横方向における着用時の伸縮力であって、縦方向における単位幅当たりの伸縮力が小さくなっている。そのため、カット部の両側部３６に生じる皺の数は第２領域３５に生じる皺の数に比べて少なくなる。このように、おむつ１の横方向における所定の範囲（例えば腹側胴回り部３０の横方向一方側の端からカット部４０の横方向一方側の端までの範囲）において、カット部の両側部３６に生じている皺の数の方が、第２領域３５に生じている皺の数に比べて少ないことが好ましい。そうすることで、カット部の両側部３６でも、第１領域３４と同様に、シートが密集せず、着用者の肌に柔らかく当たるため、おむつ１の着け心地が向上する。また、腹側胴回り部３０の上端３０ａ（切れ端）が軟らかくなるため、着用者の肌を傷付けてしまうことを防止できる。
【００５０】
なお、カット部の両側部３６と第２領域３５とで、腹側糸ゴム３３の配置数、配置された腹側糸ゴム３３の伸縮力（径）、及び腹側糸ゴム３３の伸長倍率のうちの少なくとも一つを異ならせることによって、カット部の両側部３６の伸縮力が第２領域３５の伸縮力に比べて小さくなるようにするとよい。
【００５１】
また、腹側胴回り部３０の厚さ方向におけるカット部の両側部３６の皺の凹凸の高さの方が、第２領域３５の皺３５１の凹凸の高さに比べて大きいことが好ましい。そうすることで、カット部の両側部３６の隙間がより大きくなり、カット部の両側部３６が着用者の肌に柔らかく当たるため、おむつ１の着け心地が向上する。
【００５２】
上記のように第１領域３４及びカット部の両側部３６、つまり腹側胴回り部３０の上端部の伸縮力を、第２領域３５の伸縮力に比べて小さくすることで、おむつ１を着用者に装着させる時に、腹側胴回り部３０の上端部が拡がり易くなり、おむつ１をスムーズに履かせることができる。また、胴回りがぽっこりしている乳幼児がおむつ１を着用する場合に、胴回りを締め付き過ぎてしまうことを防止できる。
【００５３】
更に、おむつ１では、図２や図３に示すように、縦方向における吸収性本体１０の上端１０ａが、カット部４０の下端４０ｂに達していない。そして、吸収性本体１０の上端１０ａが、第１領域３４と第２領域３５の境界となっている。そのため、第１領域３４において厚さ方向に積層されるシート数は２枚（腹側胴周り部３０の内層シート３１及び外層シート３２）であり、第２領域３５において厚さ方向に積層されるシート数は５枚（腹側胴周り部３０の内層シート３１及び外層シート３２と、吸収性本体１０の液透過性シート１１、液不透過性シート１３、及び外装シート１４）である。つまり、第１領域３４で積層されるシート数の方が、第２領域３５で積層されるシート数に比べて少ない。
【００５４】
そのため、第１領域３４の剛性が低くなるので、第１領域３４が着用者の肌に柔らかく当たり、着け心地が向上する。また、カット部４０の外縁４０ａ（第１領域３４）で着用者の肌を傷付けてしまうことを防止できる。一方、第２領域３５には多くのシートが存在し、液不透過性のバックシート１３も存在するため、排泄物の漏れを抑えられる。
【００５５】
図６は、カット部４０周辺の接着剤の塗布領域の説明図である。腹側胴回り部３０では、内層シート３１と外層シート３２の間に腹側糸ゴム３３が配置され、内層シート３１と外層シート３２と腹側糸ゴム３３とが接着剤で接合されている。但し、カット部４０の外縁４０ａに沿った縁部４１には接着剤が塗布されていない。詳しくは、カット部４０の縁部４１には、内層シート３１と外層シート３２（一対のシート同士）を接合する接着剤が設けられておらず、内層シート３１及び外層シート３２（一対のシート）と腹側糸ゴム３３とを接合する接着剤が設けられていない。そうすることで、カット部４０の縁部４１が接着剤により硬くなることを防ぎ、カット部４０の縁部４１が着用者の肌に柔らかく当たるため、着け心地が向上する。なお、カット部４０の横幅Ｗ２を例えば８５ｍｍとした場合、縁部４１の幅を２ｍｍ〜１５ｍｍの範囲に設定するとよい。
【００５６】
また、カット部周り糸ゴム３３ａが、横方向における腹側胴回り部３０の両端部３０ｂ間を連続して伸長した状態で、内層シート３１や外層シート３２に固定された後に、カット部４０が切断されるとする。この場合、カット部４０の縁部４１に接着剤が塗布されていないことで、カット部周り糸ゴム３３ａのカット部４０側の端部が、カット部４０の縁部４１まで収縮でき、カット部４０から露出することを防止できる。よって、おむつ１の外観を向上させることができ、カット部周り糸ゴム３３ａの端部が着用者の肌に接触することを防止できる。
【００５７】
なお、カット部４０の縁部４１の一部に接着剤が設けられたり、一対のシート同士を接合する接着剤と、一対のシートと腹側糸ゴム３３とを接合する接着剤と、のうちの一方が、カット部４０の縁部４１に設けられたりしてもよい。また、本実施形態の腹側胴回り部３０は内層シート３１と外層シート３２から構成されるが、これに限らず、例えば、内層シート３１と外層シート３２の間に所定の色や画像が付されたデザインシートが設けられてもよい。この場合、内層シート３１又は外層シート３２とデザインシートが一対のシートとなる。また、間に腹側糸ゴム３３を介在しないシート同士の接着剤も、カット部４０の縁部４１に設けられていないことが好ましい。
【００５８】
＝＝＝第２実施形態＝＝＝
図７は第２実施形態のおむつ１の展開状態の平面図である。第２実施形態のおむつ１では、第１領域３４に腹側糸ゴム３３が配置されず、第２領域３５に腹側糸ゴム３３（第２領域糸ゴム３３ｃ）が４本配置されている。腹側糸ゴム３３の配置以外の構成要件は第１実施形態と同じであるため説明を省略する。なお、図７は、おむつ１に生じていた皺が視認できなくなる程度まで、おむつ１が有する弾性部材を伸長した状態での展開図である。
【００５９】
第１領域３４に腹側糸ゴム３３が配置されていなくとも、カット部周り糸ゴム３３ａや第２領域糸ゴム３３ｃの収縮により第１領域３４も収縮し、第１領域３４に皺が生じる。但し、第１領域３４に腹側糸ゴム３３が配置されない場合、第１領域３４に腹側糸ゴム３３が配置される場合に比べて、第１領域３４に生じる皺の数が減る。そのため、より一層、腹側胴回り部３０を構成する内層シート３１及び外層シート３２が密集せず、第１領域３４が着用者の肌に柔らかく当たるので、おむつ１の着け心地が向上する。
【００６０】
また、第２実施形態のおむつ１では、着用時の伸縮力であって、縦方向における単位幅当たりの伸縮力が、第１領域３４ではゼロとなる。そのため、第１領域３４の伸縮力の方が第２領域３５の伸縮力に比べて小さくなる。
【００６１】
また、第１領域３４に腹側糸ゴム３３が配置されず、カット部の両側部３６にも腹側糸ゴム３３が配置されていなくてもよい。この場合にも、第２領域糸ゴム３３ｃの収縮により、第１領域３４及びカット部の両側部３６に皺が生じる。そして、第１領域３４及びカット部の両側部３６に生じる皺の数がより少なくなる。よって、着用者の臍の周囲に位置する第１領域３４及びカット部の両側部３６が着用者の肌により一層柔らかく当たる。なお、第１領域３４に腹側糸ゴム３３が配置され、カット部の両側部３６に腹側糸ゴム３３が配置されない形態であってもよい。この場合にも、第１領域３４及びカット部の両側部３６に生じる皺の数が減り、第１領域３４及びカット部の両側部３６が着用者の肌により一層柔らかく当たる
【００６２】
＝＝＝伸縮力の測定方法＝＝＝
図８は伸縮力を測定したサンプルの条件を説明する図であり、図９は伸縮力の測定結果を説明する図である。以下、第１領域３４及び第２領域３５の伸縮力（おむつ１の横方向の伸縮力）の測定方法と実際の測定結果について説明する。ここでは引っ張り試験機を用いた測定方法を例示するが、他の測定方法であってもよい。また、カット部の両側部３６の伸縮力も同様に測定し、第２領域３５の伸縮力と比較するとよい。
【００６３】
まず、測定対象となるおむつ１の第１領域３４からおむつ１の横方向（腹側糸ゴム３３の伸縮方向）に沿ってサンプル１（腹側胴回り部３０）を切り出し、第２領域３５からおむつ１の横方向に沿ってサンプル２（腹側胴回り部３０及び吸収性本体１０）を切り出す。ここで例示するサンプル１は、腹側糸ゴム３３の配置数が１本、配置された腹側糸ゴム３３の径が４７０ｄｔｅｘ、伸張倍率が２．３であり、おむつ１の縦方向の幅が１０ｍｍである。サンプル２は、腹側糸ゴム３３の配置数が３本、配置された腹側糸ゴム３３の径が４７０ｄｔｅｘ、伸張倍率が２．３であり、おむつ１の縦方向の幅が２０ｍｍである。
【００６４】
次に、引っ張り試験機の上下のチャックで、引っ張り方向（おむつ１の横方向）におけるサンプル１又はサンプル２の両端部を挟む。なお、ここでは引っ張り方向における初期のチャック間距離、つまり初期寸法を１１７．５ｍｍとする。そのため、おむつ１の横方向におけるサンプル１，２の切り出し幅は１１７．５ｍｍ以上にする。また、上チャックでサンプル１，２を挟んだ時に引っ張り試験機の測定値をゼロに設定し、下チャックでサンプル１，２を挟んだ時には前記設定を行わないとする。
【００６５】
次に、初期寸法（１１７．５ｍｍ）から、初期寸法の約１１０％の長さ（１３０ｍｍ）を初期寸法に加えた長さ（２４７．５ｍｍ）までチャック間距離を離しながら、つまりサンプル１，２を伸長させながら、各長さでの引張応力（Ｎ）を測定する。なお、引張速度は例えば１００ｍｍ／分とする。そして、測定結果（Ｎ）を、おむつ１の縦方向における単位幅（１０ｍｍ）当たりの値に換算する。そうして算出された値を、おむつ１の縦方向における単位幅当たりの第１領域３４の伸縮力、及び、第２領域３５の伸縮力（Ｎ／１０ｍｍ）とする。
【００６６】
前述のように、着用時の伸縮力として、自然状態であるおむつ１の胴回り開口１ａの周長に対して３０％程度伸長させた時の伸縮力を例示できる。よって、この測定方法の場合、チャック間距離が初期寸法（１１７．５ｍｍ）である時を自然状態のおむつ１と想定し、チャック間距離が初期寸法に対して３０％程度離れた時（１５２．５ｍｍ≒１１７．５×１．３）の測定結果を比較するとよい。図９の測定結果では、チャック間距離が１５２．５ｍｍであるときの、縦方向における単位幅当たりの伸縮力が、第１領域３４では０．０６７９（Ｎ／１０ｍｍ）、第２領域３５では０．０８８５（Ｎ／１０ｍｍ）となっている。つまり、第１領域３４の伸縮力が第２領域３５の伸縮力に比べて小さいという結果が得られている。
【００６７】
なお、ここでは初期寸法からチャック間距離を離す際の測定結果（伸長時の測定結果）で比較しているが、これに限らず、チャック間距離を最大に離した状態から初期寸法に戻す際の測定結果（収縮時の測定結果）で比較してもよいし、伸長時の測定結果と収縮時の測定結果の平均値で測定してもよい。また、チャック間距離が初期寸法に対して３０％程度離れた時以外の測定結果で比較してもよい。
【００６８】
＝＝＝その他の実施の形態＝＝＝
上記実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【００６９】
上記実施形態では、第１領域３４と第２領域３５とで、腹側糸ゴム３３の条件（配置数、径、伸長倍率）とシートの積層枚数の両方が異なるが、どちらか一方のみが異なるおむつ１でもよい。なお、第１領域３４と第２領域３５とでシートの積層枚数のみが異なる場合にも、着用時の伸縮力であって、おむつ１の縦方向における単位幅当たりの伸縮力が、第２領域３５に比べて第１領域３４の方が低くなる傾向にある。
【００７０】
上記実施形態では使い捨ておむつとしてパンツ型おむつを例示したが、これに限らず、テープ型おむつであってもよい。また、上記実施形態では、３つの部品に分かれたおむつを例示したが、これに限らず、背側胴回り部２０と腹側胴回り部３０が一体的に形成されたおむつや、背側胴回り部２０、腹側胴回り部３０、及び吸収性本体１０が一体的に形成されたおむつでもよい。また、上記実施形態では、おむつ１の着用対象を新生児としているが、より年上の乳幼児や老人等の大人を着用対象としてもよい。
【符号の説明】
【００７１】
１  おむつ（使い捨ておむつ）、１０  吸収性本体、１１  トップシート（液透過性シート）、１２  吸収体、１２１  吸収性コア、１３  バックシート（液不透過性シート）、１４  外装シート、１５  サイドシート、２０  背側胴回り部、２１  内層シート、２２  外層シート、２３  背側糸ゴム、３０  腹側胴回り部、３１  内層シート（一対のシート）、３２外層シート（一対のシート）、３３  腹側糸ゴム（弾性部材）、３３ａ  カット部周り糸ゴム、３３ｂ  第１領域糸ゴム、３３ｃ  第２領域糸ゴム、３３ｄ  上方吸収体周り糸ゴム、３３ｅ  下方吸収体周り糸ゴム、３４  第１領域、３４１  皺、３５  第２領域、３５１  皺、３６  カット部の両側部、４０  カット部、４０ａ  外縁、４０ｂ  下端、４１  縁部、ＬＧ  レッグギャザー、ＬＳＧ  立体ギャザー、
【要約】      （修正有）【課題】着け心地が良く、排泄物の漏れを抑える使い捨ておむつを実現すること。【解決手段】吸収性本体と、吸収性本体の一端側に位置する背側胴回り部と、吸収性本体の他端側に位置する腹側胴回り部３０と、を備え、横方向における腹側胴回り部の中央部であって、縦方向における腹側胴回り部の上端に、カット部４０が設けられ、腹側胴回り部に、前記横方向に沿った複数の弾性部材が配置され、縦方向における前記カット部の下端と吸収性コアの上端との間に、横方向に沿った第１領域３４と、第１領域よりも縦方向の下側に位置し、且つ、横方向に沿った第２領域３５とを備え、弾性部材の収縮によって第１領域及び前記第２領域に皺が生じており、横方向においてカット部が設けられた位置を少なくとも含む範囲において、第１領域に生じている皺の数の方が、第２領域に生じている皺の数に比べて少ない使い捨ておむつ。【選択図】図５【図１】
0005978378.tif 000002
【図２】
0005978378.tif 000003
【図３】
0005978378.tif 000004
【図４】
0005978378.tif 000005
【図５】
0005978378.tif 000006
【図６】
0005978378.tif 000007
【図７】
0005978378.tif 000008
【図８】
0005978378.tif 000009
【図９】
0005978378.tif 000010